(57)【要約】      （修正有）【課題】排泄物を排泄して便座の下面に飛散した場合であっても、便座の下面を汚すことなく、便座を清潔に保つことができるとともに、容易にその機能が損なわれることがない使い捨て便座カバーを提供する。【解決手段】着座式便器１００の便座１０２に装着する使い捨て便座カバー１において、前記便座１０２の平面形状に即して形成される難溶解性のカバー本体と、カバー本体の一方の面に設けられ便座１０２の下面に固定可能な固定手段とを有する下面カバーを備える。【選択図】図１
2012179249.tif 000002
【特許請求の範囲】
【請求項１】
着座式便器の便座に装着する使い捨て便座カバーにおいて、
前記便座の平面形状に即して形成される難溶解性のカバー本体と、該カバー本体の一方の面に設けられ便座の下面に固定可能な固定手段とを有する下面カバーを少なくとも備えることを特徴とする使い捨て便座カバー。
【請求項２】
前記便座の平面形状に即して形成される難溶解性のカバー本体と、該カバー本体の一方の面に設けられ便座の上面に固定可能な固定手段とを有する上面カバーを備える請求項１に記載の使い捨て便座カバー。
【請求項３】
前記下面カバーは、前記便座の上面及び下面の何れにも装着可能である請求項１に記載の使い捨て便座カバー。
【発明の詳細な説明】
【技術分野】
【０００１】
本発明は、着座式便器の便座を覆う使い捨て便座カバーに関する。
【背景技術】
【０００２】
一般的に、着座式便器（洋式便器）は、排泄物を受ける便器本体と、使用者が排泄するために着座する便座とを備える。そして、便座には、使用者が着座しつつ排泄した排泄物を便器本体に排泄可能な開口部が設けられている。
【０００３】
公共の場などに設置される着座式便器は、不特定多数の者と共用するため、衛生面に配慮する必要がある。そこで、このような場に設置されるトイレ設備には、各使用者が着座式便器の便座に被せ、その上に着座して排泄することで、各使用者の臀部が便座に直接触れないようにした使い捨て便座カバーが提供されるところがある。この使い捨て便座カバーは、便座の上面を覆うシートであり、水溶性の紙で製造されている（例えば、特許文献１等）。そして、この使い捨て便座カバーには、便座の開口部に沿って開口するように、略馬蹄形の切り目線が形成されている。
【先行技術文献】
【特許文献】
【０００４】
【特許文献１】特開平  ７−２３１８６２号公報
【発明の概要】
【発明が解決しようとする課題】
【０００５】
しかし、使用者が排泄物を排泄した際に、その排泄物や便器本体に溜められている水が飛散して、便座の下面を汚してしまうことがある。便座の下面が排泄物等で汚されたままにされてしまうと、便座を清潔に保つことができなくなる。そこで、本願出願人は、便座の下面に装着する使い捨て便座カバーを提案している（特願２０１１−００５９５９号参照）。この便座カバーによると、便座の下面に排泄物等が飛散した場合であっても、便座の下面を汚すことなく、便座を清潔に保つことができる。
【０００６】
ところが、公共の場などに設置される着座式便器は、不特定多数の者が使用するため、その使用者の使用様態によって、便座に飛散する排泄物等の量もその飛散の程度も様々である。特に、便座の下面に飛散する排泄物等に水分が多く含まれていると、使い捨て便座カバーが溶解するなどして、その機能（例えば、強度）が損なわれることがある。
【０００７】
そこで、本発明は、斯かる実情に鑑み、排泄物を排泄して便座の下面に飛散した場合であっても、便座の下面を汚すことなく、便座を清潔に保つことができるとともに、容易にその機能が損なわれることがない使い捨て便座カバーを提供することを課題とする。
【課題を解決するための手段】
【０００８】
本発明に係る使い捨て便座カバーは、着座式便器の便座に装着する使い捨て便座カバーにおいて、前記便座の平面形状に即して形成される難溶解性のカバー本体と、該カバー本体の一方の面に設けられ便座の下面に固定可能な固定手段とを有する下面カバーを少なくとも備えることを特徴とする。
【０００９】
上記構成の使い捨て便座カバーは、使用者によって、下面カバーを着座式便座の下面に（固定手段で固定することにより）装着する。この使用者が排泄物を排泄した際、下面カバーで便座の下面に飛散した排泄物等を受けることができ、便座の下面に飛散する排泄物等が便座の下面に付着するのを阻止できる。例え、便座の下面に飛散する排泄物等に水分が多く含まれていたとしても、難溶解性を有する下面カバーのカバー本体に排泄物等が飛散するため、その排泄物等に含まれる水分によって、カバー本体は、その強度が容易に損なわれないようになっている。したがって、この使い捨て便座カバーは、便座の下面を汚すことなく、便座を清潔に保つことができるとともに、容易にその機能が損なわれることがない。
【００１０】
本発明の一様態として、前記便座の平面形状に即して形成される難溶解性のカバー本体と、該カバー本体の一方の面に設けられ便座の上面に固定可能な固定手段とを有する上面カバーを備えることが好ましい。
【００１１】
かかる構成によれば、使用者によって、上面カバーを着座式便器の便座の上面に（固定手段で固定することにより）装着するとともに、下面カバーをその便座の下面に（固定手段で固定することにより）装着する。この使用者が排泄物を排泄する際、上面カバーで臀部が直接便座の上面に触れることがなく、下面カバーで便座の下面に排泄物等が付着するのを阻止できる。例え、使用者が排泄する過程で汗を大量にかいた場合であっても、難溶解性を有する上面カバーのカバー本体に汗が付着するため、その汗によって、カバー本体は、その強度が容易に損なわれないようになっている。したがって、この使い捨て便座カバーは、便座の下面を汚すことなく、便座を清潔に保つことができるとともに、容易にその機能が損なわれることがない。
【００１２】
本発明の一様態として、前記下面カバーは、前記便座の上面及び下面の何れにも装着可能であることが好ましい。
【００１３】
かかる構成によれば、使用者によって、下面カバーを便座の上面に装着することができ、又は、便座の下面に装着することができる。すなわち、この下面カバーは、便座の上面及び下面の両方に対応している。よって、この使用者が排泄物を排泄する際、便座の上面に装着された下面カバーで臀部が直接便座の上面に触れることがなく、下面に装着された下面カバーで便座の下面に排泄物等が付着するのを阻止できる。例え、便座の下面に飛散する排泄物等に水分が多く含まれていたとしても、難溶解性を有する下面カバーのカバー本体に排泄物等が飛散するため、その排泄物等に含まれる水分によって、カバー本体は、その強度が容易に損なわれないようになっている。したがって、この使い捨て便座カバーは、便座の下面を汚すことなく、便座を清潔に保つことができるとともに、容易にその機能が損なわれることがない。
【発明の効果】
【００１４】
以上のように、本発明の使い捨て便座カバーによれば、排泄物を排泄して便座の下面に飛散した場合であっても、便座の下面を汚すことなく、便座を清潔に保つことができるとともに、容易にその機能が損なわれることがないという優れた効果を奏し得る。
【図面の簡単な説明】
【００１５】
【図１】本発明の一実施形態に係る使い捨て便座カバーを便座に取り付けた状態の着座式便器及び給水タンクの全体斜視図を示す。
【図２】同実施形態に係る使い捨て便座カバーの上面カバー及び下面カバーの斜視図を示す。
【図３】同実施形態に係る便座カバー収納ユニットを給水タンクに載置した状態の全体斜視図を示す。
【図４】（ａ）は、同実施形態に係る便座カバー収納ユニットの保持板の斜視図を示し、（ｂ）は、（ａ）の矢視Ａ−Ａ線で切断した保持板の断面図を示す。
【図５】他の実施形態に係る便座カバー収納ユニットを給水タンクに載置した状態の全体斜視図を示す。
【発明を実施するための形態】
【００１６】
以下、本発明の一実施形態に係る使い捨て便座カバーについて、添付図面を参照しつつ説明する。使い捨て便座カバーの説明に先立ち、該使い捨て便座カバーを用いる着座式便器及び給水タンクについて、図１を参酌しつつ説明する。かかる着座式便器１００は、使用者が着座して排泄物を排泄する形式の便器である。着座式便器１００は、上面に設けられる開口部１０１ｂから使用者の排泄物を受ける便器本体１０１と、使用者が排泄物を排泄するために便器本体１０１の開口部１０１ｂの縁部上に載置される便座１０２と、便座１０２上に載置されて便器本体１０１の開口部１０１ｂを閉鎖する蓋１０３とを備える。
【００１７】
便器本体１０１は、使用者の排泄物を受けて一時的に溜める貯留部１０１ａと、該貯留部１０１ａの上面に形成される略楕円形状の開口部１０１ｂと、貯留部１０１ａに溜められた排泄物を排出する排出部（図示せず）とを備える。貯留部１０１ａは、臭気封止用の溜り水が所定水位まで蓄えられており、使用者により排泄された排泄物は、この溜り水の中に排泄される。なお、ここで言う排泄物とは、糞尿（大便と小便）を指すものとする。
【００１８】
一方、給水タンク１１０は、着座式便器１００の背面（使用者が着座したときに背中と対向する面）に配置され、便器本体１０１の貯留部１０１ａに溜められた排泄物を排出部に押し流す水を蓄え、便器本体１０１に給水するタンクである。給水タンク１１０は、この水を蓄え、栓の開閉により所定量の水を便器本体１０１に供給可能な貯水部１１０ａと、該貯水部１１０ａに給水すると同時に手洗い等のために使用者に給水する給水ノズル１１０ｂと、該給水ノズル１１０ｂから供給された水を受けて貯水部１１０ａに案内する受水鉢１１０ｃとを備える。給水ノズル１１０ｂは、貯水部１１０ａの上面に設けられ、上方に向かって延出され先端側で前方側に湾曲して下方に向かって吐出する管状のノズルである。
【００１９】
次に、本発明の一実施形態に係る使い捨て便座カバーについて、図１及び図２を参酌しつつ説明する。かかる使い捨て便座カバー１は、使用後に便器本体１０１の貯留部１０１ａに廃棄せずに、便器本体１０１に隣接して設けられる屑箱に廃棄することを想定して製作される。この使い捨て便座カバー１は、便座１０２の平面形状（上面の形状）に形成される上面カバー２と、便座１０２の平面形状（下面の形状）に形成される下面カバー３とを備える。
【００２０】
上面カバー２は、具体的には、上面（図１の上側）全範囲を覆うように形成される。そして、上面カバー２は、本実施形態に係る便座１０２が略中心に楕円形状の開口部１０１ｂを有する環状のＯ型であるため、この開口部に合致する開口も形成されている。下面カバー３は、便座１０２の下面全範囲を覆うように形成され、便座１０２の開口部に合致する開口が形成されている。そして、上面カバー２及び下面カバー３は、それぞれ、難溶解性を有するカバー本体２ａ，３ａと、該カバー本体２ａ，３ａをその便座１０２の上面又は下面と対向する面に固定可能な固定手段２ｂ，…，３ｂ，…と、カバー本体２ａ，３ａを貫通して形成される開口部２ｃ，２ｃ，３ｃ，３ｃとを備える。
【００２１】
本実施形態に係る上面カバー２及び下面カバー３は、便座の上面及び下面が略相似形をしており、製造工程を簡略化する観点からも、形状が同一となるように形成されている。すなわち、上面カバー２及び下面カバー３とは、それぞれが兼用可能に形成されている。
【００２２】
また、上面カバー２及び下面カバー３は、一方の面に固定手段２ｂ，…，３ｂ，…を有し、使用後に便座１０２の上面又は下面から剥がす際に容易に裂けにくいように成形されている。特に、下面カバー３の場合は、排泄物などが付着することにより強度が低下しやすく、排泄物が付着した部分を残して裂けてしまうようなことを防止することも目的としている。具体的には、上面カバー２及び下面カバー３は、硬質の材質で厚手に成形されるか、トイレットペーパーなどの水溶性の紙を複数枚重ねて強度を高めて、水分を含ませても容易に溶解しないように厚手に成形されている。水溶性の紙同士は、それぞれが容易に剥がれないように、例えば、溶融しやすい片栗粉などでそれぞれが接着されている。
【００２３】
固定手段２ｂ，…，３ｂ，…は、位置ずれすることがなく装着できるように便座１０２の上面又は下面に粘着可能な粘着シール（粘着部）であり、同一面に所定間隔空けて複数箇所設けられている。なお、固定手段２ｂ，…，３ｂ，…は、水分を与えると接着力が出る接着のりが塗布された接着層であってもよい。
【００２４】
開口部２ｃ，２ｃ，３ｃ，３ｃは、便座１０２に装着した際に便座１０２の奥手に対応する位置に設けられている。この開口部２ｃ，２ｃ，３ｃ，３ｃは、複数設けられ、本実施形態では、２箇所設けられている。
【００２５】
次に、同実施形態に係る便座カバー収納ユニットについて、図３及び図４（ａ），図４（ｂ）を参酌しつつ説明する。かかる便座カバー収納ユニット４は、給水タンク１１０の上面に載置されて、使い捨て便座カバー１を収納可能なユニットである例を説明する。但し、便座カバー収納ユニット４の設置場所は、給水タンク１１０の上面に限定されるものではなく、トイレ設備の壁面に壁掛けされてもよい。便座カバー収納ユニット４は、上面カバー２及び下面カバー３を収納する収納部４１と、該収納部４１の前面に配置される耐水性のパネル４２とを備える。
【００２６】
収納部４１は、図３、図４（ａ）及び図４（ｂ）に示すように、上面カバー２及び下面カバー３を保持可能な保持板４１ａ（特に、図４（ａ）参照）と、該保持板４１ａを挿入可能なスリットを有する格納部４１ｂ（特に、図３参照）とを備える。保持板４１ａは、平面状の保持板本体４１ｃと、上面カバー２及び下面カバー３を引っ掛ける掛止部材４１ｄ，４１ｄとを備える。
【００２７】
パネル４２は、図３に示すように、収納部４１の前面から所定間隔離間して固定する耐水性のパネル本体４２ａと、給水タンク１１０の給水ノズル１１０ｂに下部を掛止可能な凹部４２ｂと、下端を上端側に向けて折り返して形成される樋部４２ｃと、該樋部４２ｃで受けた水を受水鉢１１０ｃに案内する案内部４２ｄとを備える。
【００２８】
パネル本体４２ａは、収納部４１の前面との間で形成されるスリット状の隙間に挿入して、装飾用シート部材４２ｆを装着可能なシート装着部４２ｅと、該シート装着部４２ｅに装着される装飾用シート部材４２ｆを外部から視認可能に覆うカバー部４２ｇとを備える。なお、装飾用シート部材４２ｆとは、カレンダーやポスター、絵画などである。
【００２９】
次に、同実施形態に係る使い捨て便座カバー１の使用方法について、図１及び図２を参酌しつつ説明する。まず、使用者は、着座式便器１００の便座１０２を跳ね上げて、下面カバー３をその便座１０２の下面側に装着する。続けて、使用者は、便座１０２を元に（便器本体１０１ａの開口縁部に載置した状態に）戻して、その上面カバー２をその便座１０２の上面側に装着する。このとき、上面カバー２及び下面カバー３は、それぞれが便座１０２に固定手段２ｂ，…，３ｂ，…にて接着されており、容易に剥がれたりずれないように装着されている。
【００３０】
以上のように、本実施形態に係る使い捨て便座カバー１は、使用者によって、上面カバー２を着座式便器１００の便座１０２の上面に（固定手段２ｂ，…を接着することにより）装着するとともに、下面カバー３をその便座１０２の下面に（固定手段３ｂ，…を接着することにより）装着する。また、上面カバー２及び下面カバー３は、便座１０２の上面及び下面の両方に対応しており、下面カバー３を便座１０２の上面に装着することができ、上面カバー３を便座１０２の下面に装着することができる。
【００３１】
この使用者が排泄物を排泄する際、上面カバー２で臀部が直接便座１０２の上面に触れることがなく、下面カバー３で便座１０２の下面に飛散した排泄物等が付着するのを阻止できる。例え、使用者が排泄する過程で汗を大量にかいた場合であっても、難溶解性を有する上面カバー２のカバー本体２ａに汗が付着するため、その汗によって、上面カバー２のカバー本体２ａは、その強度が容易に損なわれないようになっている。また、便座１０２の下面に飛散する排泄物等に水分が多く含まれていたとしても、難溶解性を有する下面カバー３のカバー本体３ａに排泄物等が飛散するため、その排泄物等に含まれる水分によって、カバー本体３ａは、その強度が容易に損なわれないようになっている。したがって、この使い捨て便座カバー１は、便座１０２の下面を汚すことなく、便座１０２を清潔に保つことができるとともに、容易にその機能が損なわれることがない。
【００３２】
次に、同実施形態に係る便座カバー収納ユニット４の使用方法について、図３、図４（ａ）及び図４（ｂ）を参酌しつつ説明する。すなわち、便座カバー収納ユニット４から上面カバー２又は下面カバー３（以下、単に「カバー２，３」と略す）を収納する場合若しくは取り出す場合について、説明する。使用者は、格納部４１ｂに挿入された保持板４１ａを側面方向にスライドすることにより引き出す。引き出された保持板４１ａには、その正面側にカバー２，３が掛止部材４１ｄ，４１ｄに引っ掛けられている。カバー２，３は、複数枚重ね合わされていることによりその強度が高く、特に開口部２ｃ，２ｃ，３ｃ，３ｃが割けて脱落しないように保持されている。
【００３３】
使用者は、カバー２，３を収納する場合であれば、この重ね合わされたカバー２，３に更に重ね合わせて収納する。使用者は、カバー２，３を取り出す場合であれば、この重ね合わされたカバー２，３の最上部のカバー２，３を取り外して使用する。
【００３４】
以上のように、かかる便座カバー収納ユニット４は、カバー２，３の形状を崩すことなく収納することができる。また、給水タンク１１０上に載置される便座カバー収納ユニット４は、給水ノズル１１０ｂから受水鉢１１０ｃに供給されて飛散した水を耐水性のパネル４２でカバーして使い捨て便座カバー１が濡れないように収納することができる。
【００３５】
便座カバー収納ユニット４は、給水ノズル１１０ｂを凹部４２ｂで掛止することにより、給水タンク１１０上に立て掛けることができる。また、便座カバー収納ユニット４は、パネル４２に飛散した水をパネル４２の下端に設けられた樋部４２ｃで受け、該樋部４２ｃで受けた水を案内部４２ｄ，４２ｄで案内して受水鉢１１０ｃに排水することができ、給水タンク１１０上を水浸しにしないようにすることができる。また、カバー２，３の前面に装飾用シート部材４２ｆを装着することができ、便座カバー収納ユニット４を見栄えよくすることができる。
【００３６】
なお、本発明は、上記実施形態に限定されるものではなく、本発明の要旨を逸脱しない範囲で種々の変更を加え得ることは勿論のことである。
【００３７】
上記実施形態において、着座式便器１００がＯ型の便座１０２を備える例に説明したが、これに限定されるものではなく、例えば、便器は、正面側を切り欠いて上面から見た形状がＵの字状のＵ型の便座であってもよい。この場合、上面カバーは、このＵ型の便座の上面形状に沿って形成され、下面カバーは、このＵ型の便座の下面を覆う面積を有するように形成されるようにしてもよい。
【００３８】
上記実施形態において、便座１０２の上面を１枚の上面カバー２で覆い、便座１０２の下面を１枚の下面カバー３で覆う使い捨て便座カバー１の例を説明したが、これに限定されるものではない。例えば、上面カバー又は下面カバーが左右２分割となっていて、これらを組み合わせることにより、便座の上面又は下面を覆うようにしてもよい。
【００３９】
上記実施形態において、上面カバー２及び下面カバー２の両方を備える例を説明したが、これに限定されるものではない。例えば、一般家庭などで使用される便座カバーであれば、便座１０２の上面に上面カバーを装着しない場合もあり、このような場合には、便座カバーは、（上面カバーを備えておらず）下面カバーのみを備えるものであってもよい。また、下面カバーは、難溶解性のカバー本体を用いるようにして、上面カバーは、従来より使用されている水溶性のカバー本体を用いるようにしてもよい。
【００４０】
上記実施形態において、使用者が使い捨て便座カバー１を使用した後、上面カバー２と下面カバー３とを便座１０２から取り外す例を説明したが、これに限定されるものではない。例えば、下面カバー３のみに排泄物等が付着したために使い捨て便座カバーを取り替える場合、上面カバー２を取り外さずに、下面カバー３のみを取り外すようにしてもよい。また、下面カバー３に排泄物等が付着しなかったため取り替える必要がない場合、上面カバー２のみ取り外し、下面カバー３を取り外さずに取り付けたままにしてもよい。
【００４１】
上記実施形態において、便座カバー収納ユニット４の収納部４１及びパネル４２が、それぞれが収納する上面カバー２及び下面カバー３を保持する保持板４１ａ、そして、装飾用シート部材４２ｆを側面方向（図３の左右方向）から出し入れ可能な構造とする例を説明したが、これに限定されるものではない。例えば、図５に示すように、便座カバー収納ユニット２０４は、上面カバー及び下面カバーを保持する保持板を上面（図面の上方向）から挿入可能な収納部２４１と、上面から装飾用シート部材を挿入すべく、該収納部２４１の前面に配置されるパネル２４２とを備えるようにしてもよい。
【００４２】
上記実施形態において、上面カバー２は、便座の上面の形状に形成される例を説明したが、これに限定されるものではない。例えば、上面カバーは、具体的には、上面（図１の上側）及び正面（図１の紙面手前側）から背面（図１の紙面奥手側）に至るまでの両側面（図１の左右方向）の範囲に沿うように立体形成されていてもよい。そして、上面カバーは、本実施形態に係る便座１０２が略中心に楕円形状の開口部を有する環状のＯ型であるため、この開口部の内側の側面に沿うようにも形成されることが好ましい。
【００４３】
このような形状の上面カバーは、便座１０２の形状に成型された金型に水を含ませた原紙を当て、加熱プレスして成形され、若しくは、金型に原紙を当て、蒸気を吹きかけて成形されている。また、上面カバーは、便座１０２の形状に成型された金型に型押しして成形するようにしてもよい。
【００４４】
上記実施形態において、便座カバー収納ユニット４は、パネル４２を備える例を説明したが、これに限定されるものではない。例えば、便座カバー収納ユニットは、パネルを備えていない場合も含まれ、更には、収納部も格納部を備えていない場合であってもよい。
【００４５】
上記実施形態において、便座カバー収納ユニット４は、収納部２４１に上面カバー２と下側カバー３とが一枚づつ交互に収納され、すべて固定手段２ｂ，…，３ｂ，…が同一方向に向けて収納される例を説明したが、これに限定されるものではない。例えば、便座カバー収納ユニット４は、上面カバー２と下側カバー３との固定手段２ｂ，…，３ｂ，…がそれぞれ対向するようセットにして収納されていてもよい。また、便座カバー収納ユニットは、上面カバーと下面カバーとが異なる形状である場合、上面カバーを収納する第１収納部と、下面カバーを収納する第２収納部とがそれぞれ備えられていてもよい。
【００４６】
上記実施形態において、便座カバー１は、更に、消臭効果や抗菌効果が付加されるものであってもよい。
【００４７】
上記実施形態において、便座カバー１の上面カバー２及び下面カバー３は、容易に裂けることがないように硬く成形されており、形成される例を説明したが、これに限定されるものではない。例えば、上面カバー及び下面カバーは、多重に重ね合わせた水溶性の紙を熱圧縮して接合したものや、ニードルパンチで接合したもの、接着剤で接着させて接合したものであってもよい。
【００４８】
上記実施形態において、上面カバー２及び下面カバー３が保持板４１ａの掛止部材４１ｄ，４１ｄに開口部２ｃ，２ｃ，３ｃ，３ｃを通して掛止する例を説明したが、これに限定されるものではなく、上面カバー２及び下面カバー３に開口部に相当する開口を形成せず、保持板４１ａの掛止部材４１ｄ，４１ｄを突き刺すことにより、保持板４１ａに保持するようにしてもよい。
【００４９】
上記実施形態において、上面カバー２及び下面カバー３のカバー本体２ａ，３ａが難溶解性を有する例を説明したが、これに限定されるものではなく、上面カバー及び下面カバーは、複数枚の紙を多重に重ね合わせて厚手に成形されて難溶解性を有するようにした部材であってもよいし、難溶解性を有する材料で成形した部材であってもよいし、また、非溶解性を有する材料（例えば、合成樹脂など）で成形されたものであってもよい。また、上面カバー及び下面カバーは、撥水性を有する部材で成形されたものとして、飛散した排泄物等に含まれる水分を撥水して、容易に溶解しないよう成形されたものであってもよいし、耐水性を有する部材で成形されたものとして、付着した水分に対して容易に溶解しないよう成形されたものであってもよい。また、上面カバー及び下面カバーは、難溶解性、非溶解性、撥水性又は耐水性を有する部材を一方の面に積層させ又は貼着させて（ラミネート加工）、その一方の面のみが難溶解性、非溶解性、撥水性又は耐水性を有するように加工させたものであってもよい。
【符号の説明】
【００５０】
１…使い捨て便座カバー、２…上面カバー、２ａ…カバー本体、２ｂ…固定手段、２ｃ…開口部、３…下面カバー、３ａ…カバー本体、３ｂ…固定手段、３ｃ…開口部、４…便座カバー収納ユニット、４１…収納部、４１ａ…保持板、４１ｂ…格納部、４１ｃ…保持板本体、４１ｄ…掛止部材、４２…パネル、４２ａ…パネル本体、４２ｂ…凹部、４２ｃ…樋部、４２ｄ…案内部、４２ｅ…シート装着部、４２ｆ…装飾用シート部材、４２ｇ…カバー部、１００…着座式便器、１０１…便器本体、１０１ａ…貯留部、１０１ｂ…開口部、１０２…便座、１０３…蓋、１１０…給水タンク、１１０ａ…貯水部、１１０ｂ…給水ノズル、１１０ｃ…受水鉢、２０４…便座カバー収納ユニット、２４１…収納部、２４２…パネル
【図１】
2012179249.tif 000003
【図２】
2012179249.tif 000004
【図３】
2012179249.tif 000005
【図４】
2012179249.tif 000006
【図５】
2012179249.tif 000007